(57)【要約】【課題】使用者が円滑な作業となるように作業中で行った一時停止や動作継続の時間が自動的に記憶され以後その時間で一時停止や動作継続が自動的に行われるようにする用紙処理システムの実現。【解決手段】回転中の駆動モータ２の回転駆動力を処理機構へ伝えたり切ったりする電磁クラッチ３と、一時停止スイッチ７と、再開スイッチ11と、最初に一時停止スイッチ７を入れてから再開スイッチ11を入れた時までの一時停止時間を計測する停止時間タイマー10と、計測した時間を記憶する停止時間メモリ12と、２回目以降の一時停止スイッチを入れたときには、前記停止時間メモリ12に記憶された時間を経過したときに、前記電磁クラッチ３が駆動モータ２の回転駆動力を処理機構へ伝えるように制御する制御部８を設ける。【選択図】図１
2010089876.tif 000002
【特許請求の範囲】
【請求項１】
用紙を受け入れて特定の処理を施す用紙処理部と、
この用紙処理部へ用紙を供給する用紙供給部と、
前記用紙処理部で処理を施され排出された用紙を受け入れるスタッカと、
前記用紙供給部および用紙処理部のいずれか又は両方に１個以上配置されスタートスイッチ投入後は用紙の供給および処理をしていないときも停止することなく連続して回転するモータと、
スタートスイッチ投入で用紙の供給および処理を開始継続している状態からこれを一時停止させる停止信号を発する一時停止スイッチと、
停止状態から用紙の供給および処理を再開させる信号を発する再開スイッチと、
前記一時停止スイッチと再開スイッチの操作により前記モータの回転駆動を用紙供給部の供給機構および用紙処理部の処理機構へ伝達したりしなかったりするクラッチと、
を有する用紙処理システムにおいて、
スタートスイッチが投入されモータの回転が開始後最初に一時停止スイッチを入れてから再開スイッチを入れるまでの一時停止時間を計測する停止時間タイマーと、
該タイマーで計測された一時停止時間を記憶させる停止時間メモリと、
２回目以降の一時停止スイッチの投入に対しては、投入により用紙の供給および処理が停止してから前記停止時間メモリに記憶された一時停止時間を経過したときに前記モータの回転駆動を前記クラッチが前記供給機構および処理機構へ伝達するように制御する制御部と、を有することを特徴とする用紙処理システム。
【請求項２】
用紙を受け入れて特定の処理を施す用紙処理部と、
この用紙処理部へ用紙を供給する用紙供給部と、
前記用紙処理部で処理を施され排出された用紙を受け入れるスタッカと、
前記用紙供給部および用紙処理部のいずれか又は両方に１個以上配置されスタートスイッチ投入後は用紙の供給および処理をしていないときも停止することなく連続して回転するモータと、
スタートスイッチ投入で用紙の供給および処理を開始継続している状態からこれを一時停止させる停止信号を発する一時停止スイッチと、
停止状態から用紙の供給および処理を再開させる信号を発する再開スイッチと、
前記一時停止スイッチと再開スイッチの操作により前記モータの回転駆動を用紙供給部の供給機構および用紙処理部の処理機構へ伝達したりしなかったりするクラッチと、
を有する用紙処理システムにおいて、
スタートスイッチが投入されモータの回転開始により用紙の供給および処理が開始してから最初に一時停止スイッチを入れるまでの供給・処理の動作時間を計測する動作時間タイマーと、
該タイマーで計測された動作時間を記憶させる動作時間メモリと、
前記最初の一時停止スイッチの投入以降の再開スイッチの投入に対しては、該投入により用紙の供給および処理が開始してから前記動作時間メモリに記憶された動作時間を経過したときに前記モータの回転駆動を前記クラッチが前記供給機構および処理機構へ伝達しないように制御する制御部とを有することを特徴とする用紙処理システム。
【請求項３】
用紙を受け入れて特定の処理を施す用紙処理部と、
この用紙処理部へ用紙を供給する用紙供給部と、
前記用紙処理部で処理を施され排出された用紙を受け入れるスタッカと、
前記用紙供給部および用紙処理部のいずれか又は両方に１個以上配置されスタートスイッチ投入後は用紙の供給および処理をしていないときも停止することなく連続して回転するモータと、
スタートスイッチ投入で用紙の供給および処理を開始継続している状態からこれを一時停止させる停止信号を発する一時停止スイッチと、
停止状態から用紙の供給および処理を再開させる信号を発する再開スイッチと、
前記一時停止スイッチと再開スイッチの操作により前記モータの回転駆動を用紙供給部の供給機構および用紙処理部の処理機構へ伝達したりしなかったりするクラッチと、
を有する用紙処理システムにおいて、
処理済み用紙を１部ずつ検知し、検知信号を発する用紙通過検知器と、
スタートスイッチが投入されモータの回転開始により用紙の供給および処理が開始してから最初に一時停止スイッチを入れるまでの用紙の処理部数を計数する処理部数カウンタと、
該カウンタで計測された処理部数を記憶させる処理部数メモリと、
前記最初の一時停止スイッチの投入以降の再開スイッチの投入に対しては、該投入により用紙の供給および処理が開始してから前記処理部数メモリに記憶された処理部数に達したときに前記モータの回転駆動を前記クラッチが前記供給機構および処理機構へ伝達しないように制御する制御部とを有することを特徴とする用紙処理システム。
【請求項４】
用紙を受け入れて特定の処理を施す用紙処理部と、
この用紙処理部へ用紙を供給する用紙供給部と、
前記用紙処理部で処理を施され排出された用紙を受け入れるスタッカと、
前記用紙供給部および用紙処理部のいずれか又は両方に１個以上配置されスタートスイッチ投入後は用紙の供給および処理をしていないときも停止することなく連続して回転するモータと、
スタートスイッチ投入で用紙の供給および処理を開始継続している状態からこれを一時停止させる停止信号を発する一時停止スイッチと、
停止状態から用紙の供給および処理を再開させる信号を発する再開スイッチと、
前記一時停止スイッチと再開スイッチの操作により前記モータの回転駆動を用紙供給部の供給機構および用紙処理部の処理機構へ伝達したりしなかったりするクラッチと、
を有する用紙処理システムにおいて、
スタートスイッチが投入されモータの回転が開始後最初に一時停止スイッチを入れてから再開スイッチを入れるまでの一時停止時間を計測する停止時間タイマーと、
該タイマーで計測された一時停止時間を記憶させる停止時間メモリと、
スタートスイッチが投入されモータの回転開始により用紙の供給および処理が開始してから最初に一時停止スイッチを入れるまでの供給・処理の動作時間を計測する動作時間タイマーと、
該タイマーで計測された動作時間を記憶させる動作時間メモリと、
２回目以降の一時停止スイッチの投入に対しては、投入により用紙の供給および処理が停止してから前記一時停止時間を記憶する時間メモリに記憶された一時停止時間を経過したときに前記モータの回転駆動を前記クラッチが前記供給機構および処理機構へ伝達するように制御し、
前記最初の一時停止スイッチの投入以降の再開スイッチの投入に対しては、該投入により用紙の供給および処理が開始してから前記動作時間メモリに記憶された動作時間を経過したときに前記モータの回転駆動を前記クラッチが前記供給機構および処理機構へ伝達しないように制御する制御部とを有することを特徴とする用紙処理システム。
【請求項５】
時間メモリに記憶された時間を延長したり短縮したりする時間延長短縮手段を具備することを特徴とする請求項１、請求項２又は請求項４に記載の用紙処理システム。
【請求項６】
処理部数メモリに記憶された部数を増減する部数増減手段を具備することを特徴とする請求項３記載の用紙処理システム。
【請求項７】
スタートスイッチ投入後２回目以降の一時停止スイッチの投入後、時間メモリに記憶された一時停止時間よりも予め定めた時間だけ短い時間が経過したときに報知信号を発する再開予告報知手段を有することを特徴とする請求項１記載の用紙処理システム。
【請求項８】
スタートスイッチ投入後最初の一時停止スイッチの投入以降の再開スイッチの投入後、時間メモリに記憶された動作時間よりも予め定めた時間だけ短い時間が経過したときに報知信号を発する停止予告報知手段を有することを特徴とする請求項２記載の用紙処理システム。
【請求項９】
スタートスイッチ投入後最初の一時停止スイッチの投入以降の再開スイッチの投入後、処理部数が処理部数メモリに記憶された部数よりも予め定めた部数だけ少ない部数に達したときに報知信号を発する停止予告報知手段を有することを特徴とする請求項３記載の用紙処理システム。
【請求項１０】
請求項７の再開予告報知手段および請求項８の停止予告報知手段の両方或いはいずれか一方を具備することを特徴とする請求項４記載の用紙処理システム。
【請求項１１】
スタートスイッチ投入後の用紙の供給および処理の一時停止および再開を一時停止スイッチおよび再開スイッチの人為操作のみによって行うように切り替える切替手段を有することを特徴とする請求項１ないし４のいずれか１項に記載の用紙処理システム。
【発明の詳細な説明】
【技術分野】
【０００１】
本発明は、印刷装置や丁合装置などから供給される用紙を受けて、これに綴じ、折り、穿孔等の処理を施してスタッカへ排出する用紙処理システムの技術分野に属する。
【背景技術】
【０００２】
このような用紙処理システムにおいては、スタッカの蓄積容量に限界があるから、ある程度蓄積された段階で、スタッカから用紙を取り出さなければならない。しかし、用紙処理システムにおいてはその間にも用紙が次々に排出されるので、取り出しの邪魔になる。
そこで、用紙供給部の用紙供給を一時停止させる一時停止手段を設け、メインモータが回転したまま用紙の供給を一時停止させている間にスタッカに蓄積された用紙を取り出すことが行われている。
【０００３】
その具体的な手段としては、以下のようなものがある。
イ．システム使用者がスイッチ操作を行うと一時停止する。
ロ．スタッカへの蓄積が一定量を越えると一時停止する。
ハ．予め設定した部数の処理が完了すると一時停止する。さらに、いったん用紙の供給を中断した後の、用紙供給の再開については、下記のいずれかの手段がある。
ニ．用紙供給を中断した後、処理前にシステム使用者が任意に設定した時間が経過した後に処理を再開する。
ホ．用紙供給を中断した後、システム使用者が再開するためのスイッチ操作を行うことにより再開する。
ヘ．用紙供給を中断した後、システム使用者がスタッカから用紙を取り出したことが検知されると再開する。
等である（例えば、特許文献１参照）。
【特許文献１】特開２００７−２２３７１７号公報（段落［００３５］［００３９］、［００４０］、［００４３］、［００４６］、［００５１］、［００５２］）
【発明の開示】
【発明が解決しようとする課題】
【０００４】
しかし、これらの方法のうち、イ．ホ．は、一時停止、或いは再開するには、わずらわしいスイッチ操作が毎回必要であるという問題がある。
ロ．ハ．ニ．ヘにおいては、一時停止、或いは再開においてスイッチ操作を省略することができる形態である。
しかし、用紙処理システムが使用される様々な環境や、個人ごとに差のある使用者の操作能力に対応するには、まだ不十分であった。
【０００５】
例えば、スタッカ部に蓄積された処理後の用紙を取り出して、仕分けや包装作業等、次の段階の作業を行う場所まで運搬する際、その運搬距離が長い環境では、ロ．のようにスタッカが満杯になるまで蓄積すると、運搬するには重すぎるケースがある。また、ヘ．のように取り出し後に直ちに処理動作を再開した場合、運搬して戻ってくるまでの間はシステムを監視なしで動作させることになり、エラー発生時の状況確認ができない等の支障を生じる可能性がある。
【０００６】
また、ハ．やニ．のように、予め設定した部数や時間によって一時停止または再開のタイミングを決める場合は、システム使用者の操作能力、操作環境に合った部数や時間を、事前入力の際に数字に換算して入力することが難しいという問題がある。
【０００７】
本発明の課題は、上記従来技術の問題点に鑑みて、システム使用者がシステム稼働開始初期の段階で自己の作業時間ペースで行ったスイッチ操作による一時停止時間間隔や再開後の動作時間間隔が、その後のスイッチ操作においても維持される用紙処理システムを実現することにある。
【課題を解決するための手段】
【０００８】
本発明は、上記の課題を解決するために、以下の各手段構成を有する。
本発明の第１の構成は、用紙を受け入れて特定の処理を施す用紙処理部と、この用紙処理部へ用紙を供給する用紙供給部と、前記用紙処理部で処理を施され排出された用紙を受け入れるスタッカと、前記用紙供給部および用紙処理部のいずれか又は両方に１個以上配置されスタートスイッチ投入後は用紙の供給および処理をしていないときも停止することなく連続して回転するモータと、スタートスイッチ投入で用紙の供給および処理を開始継続している状態からこれを一時停止させる停止信号を発する一時停止スイッチと、停止状態から用紙の供給および処理を再開させる信号を発する再開スイッチと、前記一時停止スイッチと再開スイッチの操作により前記モータの回転駆動を用紙供給部の供給機構および用紙処理部の処理機構へ伝達したりしなかったりするクラッチと、を有する用紙処理システムにおいて、スタートスイッチが投入されモータの回転が開始後最初に一時停止スイッチを入れてから再開スイッチを入れるまでの一時停止時間を計測する停止時間タイマーと、該タイマーで計測された一時停止時間を記憶させる停止時間メモリと、２回目以降の一時停止スイッチの投入に対しては、投入により用紙の供給および処理が停止してから前記停止時間メモリに記憶された一時停止時間を経過したときに前記モータの回転駆動を前記クラッチが前記供給機構および処理機構へ伝達するように制御する制御部と、を有することを特徴とする用紙処理システムである。
【０００９】
本発明の第２の構成は、用紙を受け入れて特定の処理を施す用紙処理部と、この用紙処理部へ用紙を供給する用紙供給部と、前記用紙処理部で処理を施され排出された用紙を受け入れるスタッカと、前記用紙供給部および用紙処理部のいずれか又は両方に１個以上配置されスタートスイッチ投入後は用紙の供給および処理をしていないときも停止することなく連続して回転するモータと、スタートスイッチ投入で用紙の供給および処理を開始継続している状態からこれを一時停止させる停止信号を発する一時停止スイッチと、停止状態から用紙の供給および処理を再開させる信号を発する再開スイッチと、前記一時停止スイッチと再開スイッチの操作により前記モータの回転駆動を用紙供給部の供給機構および用紙処理部の処理機構へ伝達したりしなかったりするクラッチと、を有する用紙処理システムにおいて、スタートスイッチが投入されモータの回転開始により用紙の供給および処理が開始してから最初に一時停止スイッチを入れるまでの供給・処理の動作時間を計測する動作時間タイマーと、該タイマーで計測された動作時間を記憶させる動作時間メモリと、前記最初の一時停止スイッチの投入以降の再開スイッチの投入に対しては、該投入により用紙の供給および処理が開始してから前記動作時間メモリに記憶された動作時間を経過したときに前記モータの回転駆動を前記クラッチが前記供給機構および処理機構へ伝達しないように制御する制御部とを有することを特徴とする用紙処理システムである。
【００１０】
本発明の第３の構成は、用紙を受け入れて特定の処理を施す用紙処理部と、この用紙処理部へ用紙を供給する用紙供給部と、前記用紙処理部で処理を施され排出された用紙を受け入れるスタッカと、前記用紙供給部および用紙処理部のいずれか又は両方に１個以上配置されスタートスイッチ投入後は用紙の供給および処理をしていないときも停止することなく連続して回転するモータと、スタートスイッチ投入で用紙の供給および処理を開始継続している状態からこれを一時停止させる停止信号を発する一時停止スイッチと、停止状態から用紙の供給および処理を再開させる信号を発する再開スイッチと、前記一時停止スイッチと再開スイッチの操作により前記モータの回転駆動を用紙供給部の供給機構および用紙処理部の処理機構へ伝達したりしなかったりするクラッチと、を有する用紙処理システムにおいて、処理済み用紙を１部ずつ検知し、検知信号を発する用紙通過報知器と、スタートスイッチが投入されモータの回転開始により用紙の供給および処理が開始してから最初に一時停止スイッチを入れるまでの用紙の処理部数を計数する処理部数カウンタと、該カウンタで計測された処理部数を記憶させる処理部数メモリと、前記最初の一時停止スイッチの投入以降の再開スイッチの投入に対しては、該投入により用紙の供給および処理が開始してから前記処理部数メモリに記憶された処理部数に達したときに前記モータの回転駆動を前記クラッチが前記供給機構および処理機構へ伝達しないように制御する制御部とを有することを特徴とする用紙処理システムである。
【００１１】
本発明の第４の構成は、用紙を受け入れて特定の処理を施す用紙処理部と、この用紙処理部へ用紙を供給する用紙供給部と、前記用紙処理部で処理を施され排出された用紙を受け入れるスタッカと、前記用紙供給部および用紙処理部のいずれか又は両方に１個以上配置されスタートスイッチ投入後は用紙の供給および処理をしていないときも停止することなく連続して回転するモータと、スタートスイッチ投入で用紙の供給および処理を開始継続している状態からこれを一時停止させる停止信号を発する一時停止スイッチと、停止状態から用紙の供給および処理を再開させる信号を発する再開スイッチと、前記一時停止スイッチと再開スイッチの操作により前記モータの回転駆動を用紙供給部の供給機構および用紙処理部の処理機構へ伝達したりしなかったりするクラッチと、を有する用紙処理システムにおいて、スタートスイッチが投入されモータの回転が開始後最初に一時停止スイッチを入れてから再開スイッチを入れるまでの一時停止時間を計測する停止時間タイマーと、該タイマーで計測された一時停止時間を記憶させる停止時間メモリと、スタートスイッチが投入されモータの回転開始により用紙の供給および処理が開始してから最初に一時停止スイッチを入れるまでの供給・処理の動作時間を計測する動作時間タイマーと、該タイマーで計測された動作時間を記憶させる動作時間メモリと、２回目以降の一時停止スイッチの投入に対しては、投入により用紙の供給および処理が停止してから前記一時停止時間を記憶する時間メモリに記憶された一時停止時間を経過したときに前記モータの回転駆動を前記クラッチが前記供給機構および処理機構へ伝達するように制御し、前記最初の一時停止スイッチの投入以降の再開スイッチの投入に対しては、該投入により用紙の供給および処理が開始してから前記動作時間メモリに記憶された動作時間を経過したときに前記モータの回転駆動を前記クラッチが前記供給機構および処理機構へ伝達しないように制御する制御部とを有することを特徴とする用紙処理システムである。
【００１２】
本発明の第５の構成は、前記第１の構成、第２の構成又は第４の構成において、時間メモリに記憶された時間を延長したり短縮したりする時間延長短縮手段を具備することを特徴とする用紙処理システムである。
【００１３】
本発明の第６の構成は、前記第３の構成において、処理部数メモリに記憶された部数を増減する部数増減手段を具備することを特徴とする用紙処理システムである。
【００１４】
本発明の第７の構成は、前記第１の構成において、スタートスイッチ投入後２回目以降の一時停止スイッチの投入後、時間メモリに記憶された一時停止時間よりも予め定めた時間だけ短い時間が経過したときに報知信号を発する再開予告報知手段を有することを特徴とする用紙処理システムである。
【００１５】
本発明の第８の構成は、前記第２の構成において、スタートスイッチ投入後最初の一時停止スイッチの投入以降の再開スイッチの投入後、時間メモリに記憶された動作時間よりも予め定めた時間だけ短い時間が経過したときに報知信号を発する停止予告報知手段を有することを特徴とする用紙処理システムである。
【００１６】
本発明の第９の構成は、前記第３の構成において、スタートスイッチ投入後最初の一時停止スイッチの投入以降の再開スイッチの投入後、処理部数が処理部数メモリに記憶された部数よりも予め定めた部数だけ少ない部数に達したときに報知信号を発する停止予告報知手段を有することを特徴とする用紙処理システムである。
【００１７】
本発明の第１０の構成は、前記第４の構成において、前記第７の構成における再開予告報知手段および前記第８の構成における停止予告報知手段の両方或いはいずれか一方を具備することを特徴とする用紙処理システムである。
【００１８】
本発明の第１１の構成は、前記第１の構成ないし第４の構成のいずれか１つの構成において、スタートスイッチ投入後の用紙の供給および処理の一時停止および再開を一時停止スイッチおよび再開スイッチの人為操作のみによって行うように切り替える切替手段を有することを特徴とする用紙処理システムである。
【発明の効果】
【００１９】
本発明の第１の構成では、スタートスイッチが投入されモータの回転が開始して用紙の供給および処理・排出が開始されてから最初に一時停止スイッチを入れるとクラッチが外れモータは回転していても用紙の供給および処理が停止（一時停止）する。その後、再開スイッチを入れるとクラッチが用紙１部毎に接断する状態で入り再び用紙の供給および処理が開始される。そして停止してから再開までの時間が停止時間タイマーで計測されその時間長（一時停止時間）は停止時間メモリに記憶される。その後は、一時停止スイッチを入れるとクラッチが外れ用紙の供給および処理は停止し、再開スイッチを入れなくとも、制御部が停止時間メモリに記憶された時だけ経過するとクラッチが用紙１部毎に接断する状態で入るように制御して用紙の供給および処理を再開する。
【００２０】
従って、スタートスイッチを入れてから、最初に、スタッカに上限まで堆積した処理済み用紙をシステム使用者が運び出すために一時停止スイッチを入れて、供給・処理動作を停止させ、用紙を運び出し終えた後再開スイッチを入れ動作を再開させると停止させてから再開までの時間は記憶され、以後停止させたときは記憶された時間が経過したときに自動的に動作が再開されるので、運び出し時に一時停止スイッチを入れるだけで必要な停止時間が得られるとともに、再開スイッチを入れる必要がないという効果がある。
【００２１】
本発明の第２の構成では、スタートスイッチが投入されモータの回転が開始して用紙の供給および処理、排出動作が開始されてから最初に一時停止スイッチを入れ動作が停止するまでの時間、つまり供給および処理排出の動作時間が動作時間タイマーで計測されその時間が動作時間メモリに記憶され、以後、再開スイッチを入れると動作が開始し、動作時間メモリに記憶された時間だけ動作が継続して自動的に停止するように制御される。
【００２２】
従って、スタートスイッチ投入後、処理された用紙が排出されスタッカへの排出積載量が適切量に達したと考えたときシステム使用者が一時停止スイッチを入れると処理排出は停止し、それまでの動作時間が動作時間メモリに記憶され、以後、停止状態から再開スイッチを入れるとその時間だけ処理排出するので、スタッカ上には適切量だけ排出積載されて停止し、システム使用者はこれを運び出した後、再開スイッチを入れるだけで、また適切量だけ積載されて自動停止するので排出、積載される量を見守っている必要がないという効果がある。
【００２３】
本発明の第３の構成では、スタートスイッチが投入されモータの回転が開始して用紙の供給および処理、排出動作が開始されてから、最初に一時停止スイッチを入れて上記動作が停止するまでに処理した用紙の部数が処理部数カウンタで計数されその計数値は処理部数メモリに記憶され、以後、再開スイッチを入れて動作を再開させた場合、処理部数メモリに記憶されている部数だけ供給、処理、排出すると自動的に停止するように制御される。
【００２４】
従って、スタートスイッチ投入後、処理された用紙がスタッカヘ排出されその積載部数が適切部数に達したと判断したシステム使用者が一時停止スイッチを入れると処理排出は停止し、それまでの排出部数は処理部数メモリに記憶され、以後、停止状態から再開スイッチを入れると適切部数と判断された部数だけ処理排出して停止するので、システム使用者は、適切部数の運び出し作業を終えた後、再開スイッチを入れるだけでよく、積載部数を見守っている必要はないという効果がある。
【００２５】
本発明の第４の構成は、第１の構成と第２の構成を併せ持っているので、その効果も第１の構成の効果と第２の構成の効果を併せ持っている。
即ち、スタートスイッチを投入して供給、処理、排出の動作が開始してから、システム使用者が作業に適切と考える時間ＴＯＮだけ経過したときに一時停止スイッチを入れて動作を停止させ、その後同じく作業に適切と考える時間ＴＯＦＦだけ経過したときに再開スイッチを入れると、以後時間ＴＯＮだけ動作して次に時間ＴＯＦＦだけ停止するという動作を自動的に繰り返すことになり、時間を配慮しながら一時停止スイッチや再開スイッチを入れるという必要がなくなるという効果がある。
【００２６】
本発明の第５の構成は、前記第１の構成、第２の構成又は第４の構成に加えて、時間メモリに記憶された時間を長くしたり短くしたりする手段を備えているので、一旦記憶された時間であっても実際に作業を継続してみてもう少し長い方がよいとか短い方がよいという場合には、スタートスイッチの投入からやり直す必要はなく、簡単に一時停止時間或いは動作時間を加減できるという効果がある。
【００２７】
本発明の第６の構成は、前記第３の構成に加えて処理部数メモリに記憶された部数を増減できる手段を備えているので、例えばスタッカに１回の動作で積載する部数をもっと増やしてもよいとか、或いは少し多いので減らしたいというようなときに、スタートスイッチの投入からやり直さなくとも簡単にスタッカへの積載部数の加減ができるという効果がある。
【００２８】
本発明の第７の構成は、前記第１の構成に加えて、スタートスイッチ投入後２回目以降の一時停止スイッチの投入後、時間メモリに記憶された一時停止時間よりも予め定めた時間だけ短い時間経過したときに報知信号を発する手段（再開予告報知手段）を備えているので、その報知により間もなく動作が再開されることが分かり、システムの使用者に対し、危険防止の注意、システムが動作してもよい状態になっているか否かの確認注意等を促す効果がある。
【００２９】
本発明の第８の構成は、前記第２の構成に加えて、スタートスイッチ投入後最初の一時停止スイッチの投入以降の再開スイッチの投入後、時間メモリに記憶された動作時間よりも予め定めた時間だけ短い時間が経過したときに報知信号を発する手段（停止予告報知手段）を備えているので、間もなく動作が停止することが分かり、システムの使用者は停止後に行うべき作業の準備や状況確認を停止前に行うことができるという効果がある。
【００３０】
本発明の第９の構成は、スタートスイッチ投入後最初の一時停止スイッチの投入以降の再開スイッチの投入後、スタッカ上の処理部数が処理部数メモリに記憶された部数よりも予め定めた部数だけ少ない部数に達したときに報知信号を発する手段（停止予告報知手段）を備えているので、システムの使用者は、間もなくスタッカ上の積載部数が所定部数に達し、処理排出動作が一時停止になることが分かり、使用者は、停止後に行うべき作業の準備や状況確認を停止前から行うことができるという効果がある。
【００３１】
本発明の第１０の構成は、前記第４の構成に加えて、前記第７の構成の再開予告報知手段および第８の構成の停止予告報知手段の両方或いはいずれか一方を備えているので、前記第４の構成の効果に加えて前記第７の構成の効果および第８の構成の効果の両方或いはいずれか一方の効果を有することになる。
【００３２】
本発明の第１１の構成は、前記第１の構成ないし第４の構成のいずれか１つの構成において、スタートスイッチ投入後の用紙の供給および処理、排出動作の一時停止および再開を一時停止スイッチおよび再開スイッチの人為操作のみによって行うように切り替えることができるので、タイマー、カウンタ、メモリ、制御部等に不具合を生じても、システムの稼働は可能であり、その間に不具合箇所の修復を図ることができるという効果がある。
【発明を実施するための最良の形態】
【００３３】
本発明においては、用紙の供給および処理の開始および停止は速やかであることが望ましいから、連続回転しているモータの回転駆動力を供給機構や処理機構へ接・断するクラッチはかみ合いクラッチとし、電気信号により接・断が可能な電磁クラッチとするのが最良の実施形態である。
【００３４】
一時停止スイッチ、再開スイッチはワンタッチ式のものとし、タッチしたときにパルス状のトリガー信号を出力し対象回路を起動させるものであり、タッチしないときは対象回路側からみて電気的に開状態になっているものを用いるのが最良の実施形態である。
【００３５】
また、本発明で用いられる制御部、一時停止スイッチ、再開スイッチ、タイマー、メモリ、時間延長短縮手段、予告報知手段等は、システムの操作パネルおよびその近傍に配置するのが最良の実施形態である。
【実施例】
【００３６】
以下、本発明の用紙処理システムの実施例を図面を参照して説明する。
図１は、本発明第１の構成の用紙処理システムの実施例を示すブロック図である。なお、モータ２、電磁クラッチ３、用紙供給部４および用紙処理部５間の点線は機械的に連結していることを示す。またスイッチＳ１、Ｓ２、Ｓ３間の点線は連動するものであることを示す。以下、図３、図５、図７についても同様である。
スタートスイッチ１を投入するとモータ２が回転する。初期状態においては電磁クラッチ３へは、用紙の供給および処理を行わせる信号（供給用紙１部毎にクラッチの接断を繰り返す信号）が送られているのでモータ２の回転駆動は用紙供給部４の供給機構や用紙処理部５の処理機構へ断続的に伝達され用紙の供給および処理（綴じ、折り、穿孔等）が開始され、処理済みの用紙はスタッカ６へ排出積載される。本システムの使用者（操作者）が、例えばスタッカ６上への用紙の積載量を見て、この位で運び出した方がよいと考えて、処理動作を一時停止させるために一時停止スイッチ７をタッチするとその停止信号は制御部８内のクラッチ制御回路９のｂ端子に入力され、該制御回路９から電磁クラッチ３へ断信号が送られ、電磁クラッチ３は断となりモータ２の回転駆動力は供給機構や処理機構に伝達されなくなるので用紙の供給および処理が停止する。
【００３７】
他方、前記一時停止スイッチ７からの停止信号は停止時間タイマー１０へ送られており、このタイマー１０の計時動作を開始させている。処理済み用紙の運び出しが或る時間かかって終了すると使用者は、処理動作を再開させるべく再開スイッチ１１をタッチする。この再開タッチ信号は前記停止時間タイマー１０へ送られ、該タイマー１０の計時動作を停止させるとともに制御部８内のクラッチ制御回路９のａ端子へ送られ電磁クラッチ３へ供給、処理動作を行わせる接断繰り返し信号が送られるからモータ２の回転駆動力が供給機構や処理機構へ断続的に伝達され供給および処理動作が再開される。
このようにクラッチ制御回路９は、ａ端子へ信号が入力されると電磁クラッチ３へ接断繰り返し信号が送られて供給処理動作が行われ、ｂ端子へ信号が入力されると電磁クラッチ３へ断信号が送られ供給処理動作が停止する。
【００３８】
他方、停止時間タイマー１０では、一時停止してから再開までの時間つまり停止時間ＴＯＦＦが計測され、このＴＯＦＦは停止時間メモリ１２に記憶される。
動作が再開してからスタッカ６上に所定量の処理済み用紙が積載されると使用者は再び処理動作を一時停止させるべく、一時停止スイッチ７をタッチする。このタッチによりクラッチ制御回路９のｂ端子にタッチ信号が入力し、電磁クラッチを断にし処理動作が停止する。これとともにタッチ信号は停止カウントタイマー１３にも送られており、停止時点からの経過時間をカウントし始めている。このカウント値は比較器１４へ送られている。
【００３９】
他方、比較器１４へは停止時間メモリ１２から停止時間ＴＯＦＦが入力されており、前記カウント値はこの停止時間ＴＯＦＦと比較され一致した時に信号をクラッチ制御回路９のａ端子へ入力する。これにより、電磁クラッチ３は接断繰り返し状態になり、処理動作を開始する。即ち、一時停止スイッチ７をタッチして処理動作が停止してから時間ＴＯＦＦが経過すると処理動作が自動的に再開されるということである。
【００４０】
以上の動作および停止を時間の経過に沿って示すと図２の（ａ）のようになる。（ｂ）はモータ２の回転は、スタートスイッチ１が入っている限り、供給、処理動作の停止時も回転していることを示している。
時刻ｔ０でスタートスイッチ１をオン（投入）にするとモータ２が回転開始すると同時に処理動作が開始する。
スタッカ６上に処理済み用紙が相当量積載されたので、時刻ｔ１で一時停止スイッチ７をタッチして処理動作を停止させ、処理済み用紙の運び出しに時間ＴＯＦＦだけ経過した時点ｔ２で再開スイッチ１１をタッチし処理動作が開始される。そして、前記ｔ０からｔ１までの時間と同じ位の時間が経過すると処理済み用紙がほぼ前回と同程度積載されるので、２回目の一時停止スイッチ７のタッチをして停止させる。それ以後は、１回目の一時停止スイッチ操作とその後の再開スイッチ操作によって停止時間メモリ１２に記憶された停止時間ＴＯＦＦが経過した時点で自動再開となり、更にその後は、一時停止スイッチをタッチして停止させた後はＴＯＦＦ後に自動再開を繰り返すということである。
【００４１】
このような操作を繰り返すうちに、停止時間は最初に記憶されたＴＯＦＦよりももう少し長い方がよいとか短い方がよいとか言う場合には、図１の時間延長短縮器１５によって停止時間メモリ１２内の記憶時間を長くしたり短くすることにより要望が実現できる。
【００４２】
以上のように、一時停止スイッチ７により停止させたあとは停止時間メモリ１２に記憶されている時間だけ経過したときに自動的に再開されるわけであるが、再開される前に予告報知をさせたい場合には、自動再開よりもどの位早い時点で予告が必要かを定め、その分の時間だけ停止時間メモリ１２に記憶されている停止時間よりも短い時間を出力する短縮器１７を設けその出力と停止カウントタイマー１３からのカウント値を比較器１８で比較し、カウント値が短縮値に一致したときに報知器１９に、音や光などによる報知を行わせることにより実現できる。予告時点は、一時停止スイッチ７のタッチ後、停止時間ＴＯＦＦより短縮された時点であるｔＳである。従って、短縮器１７、比較器１８および報知器１９は再開予告器１６を構成することになる。
【００４３】
以上の説明は、スイッチＳ１、Ｓ２、Ｓ３の親端子ｃが端子ａに接続されている場合の説明であるが、Ｓ１、Ｓ２、Ｓ３を連動して端子ｂに接続した場合には、システムの処理動作は一時停止スイッチ７および再開スイッチ１１の操作およびそれによるクラッチ制御回路２０の動作のみによって行われる。
クラッチ制御回路２０は、クラッチ制御回路９と同様に、ａ端子に信号が入ったときには、供給、処理動作を行わせる接断繰り返し信号を出力し、ｂ端子に信号が入ったときには断信号を出力する。
【００４４】
即ち、スイッチＳ１、Ｓ２、Ｓ３は、一時停止スイッチ７のタッチによる動作の停止が停止時間ＴＯＦＦ後に自動再開するという動作モードと一時停止スイッチ７と再開スイッチ１１の操作のみによる動作モードとの切替え手段ということになる。
【００４５】
図３は、本発明第２の構成の用紙処理システムの実施例を示すブロック図である。
スタートスイッチ１を投入するとモータ２が回転する。初期状態においては、電磁クラッチ３は接断繰り返しの状態になっているのでモータ２の回転駆動は用紙供給部４の供給機構や用紙処理部５の処理機構へ伝達され用紙の供給および処理（綴じ、折り、穿孔等）が開始され、処理済みの用紙はスタッカ６へ排出積載され始める。それとともにスタートスイッチ１からは投入信号が動作時間タイマー２１へ入力され該タイマー２１の計時動作は起動する。
【００４６】
時間が経過して、本システムの使用者（操作者）が、例えばスタッカ６上への用紙の積載量を見て、この位で運び出した方がよいと考えて、処理動作を一時停止させるために一時停止スイッチ７をタッチするとその停止信号は制御部２２内のクラッチ制御回路９のｂ端子に入力され、該制御回路９から電磁クラッチ３へ断信号が送られ、電磁クラッチ３は断となりモータ２の回転駆動力は供給機構や処理機構に伝達されなくなるので用紙の供給および処理が停止する。
【００４７】
他方、前記一時停止スイッチ７からの停止信号は前記動作時間タイマー２１へも送られており、このタイマー２１の計時動作を停止させる。
結局、動作時間タイマー２１は、スタートスイッチ１を投入して処理動作が開始し、一時停止スイッチ７がタッチされて処理動作が停止するまでの動作時間を計時し、その時間を動作時間メモリ２４へ送ってこれに記憶させる。処理済み用紙の運び出しが或る時間かかって終了すると使用者は、処理動作を再開させるべく再開スイッチ１１をタッチする。この再開タッチ信号は制御部２２内のクラッチ制御回路９のａ端子と動作カウントタイマー２３へ送られる。
【００４８】
ａ端子に再開タッチ信号を受けたクラッチ制御回路９は、電磁クラッチ３を用紙１部毎の接断繰り返し状態にするからモータ２の回転駆動力が供給機構や処理機構へ伝達され供給および処理動作が再開される。これと同時に動作カウントタイマー２３の計時動作が開始しその計数値は刻々と比較器１４へ送られている。他方、比較器１４へは動作時間メモリ２４から、スタートスイッチ１を投入して処理動作を開始してから最初に一時停止スイッチ７をタッチして処理動作を停止させるまでの動作時間が入力されており、動作カウントタイマー２３からの計数値はこの動作時間と一致したときに一致信号をクラッチ制御回路９のｂ端子へ送る。これにより電磁クラッチ３は断となり処理動作は停止する。
【００４９】
即ち、図３の用紙処理システムは、スタートスイッチ１を投入してシステムの処理動作を開始し、任意の時間経過後に一時停止スイッチ７により処理動作を停止させると開始から停止までの動作時間ＴＯＮが記憶され、以後再開スイッチ１１により処理動作を開始した場合には時間ＴＯＮが経過したときに、自動的に処理動作は停止するということである。
【００５０】
以上の動作および停止を時間の経過に沿って示すと図４の（ａ）のようになる。（ｂ）は、モータ２の回転はスタートスイッチ１が入っている限り、供給、処理の動作が停止しているときも回転を続けていることを示している。
時刻ｔ０でスタートスイッチ１をオン（投入）にすると、モータ２が回転すると同時に処理動作が開始する。動作時間ＴＯＮが経過してスタッカ６上に処理済み用紙が運び出し相当量積載された時刻ｔ１で使用者は一時停止スイッチ７をタッチして処理動作を停止させ、処理済み用紙の運び出しを終わった時刻ｔ２で再開スイッチ１１をタッチし処理動作が開始される。それ以後は時間ＴＯＮだけ経過すると自動停止する。２度目の運び出し作業が終わって、２回目の再開スイッチ１１をタッチして処理動作が開始した後も同じく時間ＴＯＮが経過すると自動停止となり以後同じことが繰り返される。
【００５１】
このような操作を繰り返すうちに、動作時間は最初に記憶されたＴＯＮよりももう少し長い方がよいとか短い方がよいとか言う場合には、図３の時間延長短縮器１５によって動作時間メモリ２４内の記憶時間を長くしたり短くすることにより要望が実現できる。
【００５２】
以上のように、再開スイッチ１１により処理動作を開始させたあとは動作時間メモリ２４に記憶されている時間だけ経過したときに自動的に停止されるわけであるが、停止される前に予告報知をさせたい場合には、自動停止よりもどの位早い時点で予告が必要かを定め、その分の時間だけ動作時間メモリ２４に記憶されている動作時間よりも短い時間を出力する短縮器１７を設けその出力と動作カウントタイマー２３からのカウント値を比較器１８で比較し、カウント値が短縮値に一致したときに報知器１９に、音や光などによる報知を行わせることにより実現できる。
【００５３】
予告時点は、再開スイッチ１１のタッチ後、動作時間ＴＯＮより短縮された時点であるｔｐである。従って、短縮器１７、比較器１８および報知器１９は停止予告器２５を構成することになる。
【００５４】
以上の説明は、スイッチＳ１、Ｓ２、Ｓ３の親端子ｃが端子ａに接続されている場合の説明であるが、Ｓ１、Ｓ２、Ｓ３を連動して端子ｂに接続した場合には、システムの処理動作は一時停止スイッチ７および再開スイッチ１１の操作およびそれによるクラッチ制御回路２０の動作のみによって行われる。
【００５５】
即ち、スイッチＳ１、Ｓ２、Ｓ３は、再開スイッチ１１のタッチによる動作の再開が動作時間ＴＯＮ後に自動停止するという動作モードと一時停止スイッチ７と再開スイッチ１１の操作のみによる動作モードとの切替え手段ということになる。
【００５６】
図５は、本発明第３の構成の用紙処理システムの実施例を示すブロック図である。
この構成は、スタートスイッチ１を投入し処理動作を開始してから、最初に一時停止スイッチ７をタッチして停止するまでの間隔を時間ではなくその間に処理した用紙の部数によって記憶し、以後、再開スイッチ１１をタッチして処理動作を開始した後は、処理部数が前記記憶された処理部数に達したときに自動停止するというものである。そのために、用紙処理部５の後方に処理済みの用紙を１部ずつ検知し、１部毎に検知信号を出力する用紙通過検知器３１が設けられている。該検知器３１から出力される用紙検知信号は、処理部数カウンタ２８および制御部３２中の処理部数カウンタ２９へ入力されている。
【００５７】
処理部数カウンタ２８は、スタートスイッチ１を投入したときにそれからの投入信号を受けてカウントを開始し、一時停止スイッチ７をタッチしたときの停止信号を受けてカウントを停止し、その間の処理部数ＮＳを確定し、この部数ＮＳは処理部数メモリ２７へ送られて記憶される。また、制御部３２中の処理部数カウンタ２８は再開スイッチ１１をタッチして処理動作を開始したときの信号を受けて処理部数の積算カウントをして行く。この積算カウント値は比較器１４へ送られ、そこで処理部数メモリ２７からの記憶部数ＮＳと比較され、積算カウント値が記憶部数ＮＳに達したとき（一致したとき）に一致信号をクラッチ制御回路９のｂ端子へ出力する。これにより、電磁クラッチ３は断となり、処理動作は停止する。以後、再開スイッチ１１をタッチして処理動作を開始する毎に同様の動作を繰り返すことになる。
【００５８】
このような操作を繰り返すうちに、処理を停止させる部数は当初記憶された部数ＮＳより少し多い方がよいとか短い方がよいとかいう場合には部数増減器２６の操作によって処理部数メモリ２７に記憶されている部数を増減することによって要望が実現できる。
【００５９】
以上のように、再開スイッチ１１により処理動作を開始させたあとは、処理部数が処理部数メモリ２７に記憶された部数ＮＳに達したときは自動的に停止させるわけであるが、停止される前に予告報知をさせたい場合には、処理部数ＮＳから何部前の部数ｎｐで予告報知をさせたいかを設定し、処理部数メモリ２７に記憶されている部数ＮＳからｎｐに減じた数値を停止予告器３４内の減数器３３に保持させ、この数値を比較器１８へ送るとともに、再開スイッチ１１をタッチしてからの処理部数をカウントしている処理部数カウンタ２９からの処理部数を比較器１８へ送って減数器３３からの数値ｎｐと比較し、処理部数がｎｐに達したときに報知器１９へ信号を送り音や光などによる報知を行わせることになる。
【００６０】
以上の動作および停止を時間の経過に沿って示すと図６の（ａ）のようになる。（ｂ）は、モータ２の回転はスタートスイッチ１が入っている限り供給、処理の動作が停止しているときも回転を続けていることを示している。
時刻ｔ０でスタートスイッチ１を投入して処理動作を開始させ、時刻ｔ１で一時停止スイッチ７のタッチ（オン操作）により停止するまでの処理部数がＮＳであり、これは図５の処理部数メモリ２７に記憶される。
時刻ｔ１で停止させ処理済み用紙の運び出しその他の作業を終えて時刻ｔ２で再開スイッチ１１のタッチ（オン操作）により処理を再開させ、処理部数がｎｐになると停止予告器３４から停止予告報知がなされ、処理部数がＮＳになると自動停止する。
所要の時間が経過して再開スイッチ１１をタッチすると、再び動作を開始し同様の動作を繰り返す。
【００６１】
また、スイッチＳ１、Ｓ２、Ｓ３の親端子ｃを端子ｂへ切り替えた場合には、スタートスイッチ１の投入後の動作の停止、再開は図３の構成の場合と同様に一時停止スイッチ７および再開スイッチ１１に対する操作で行われ、自動停止するということはない。即ち、スイッチＳ１、Ｓ２、Ｓ３は動作モードの切り替え手段である。
【００６２】
図７は、本発明第４の構成の用紙処理システムの実施例を示すブロック図である。
図７の構成は、図１の構成において、停止時間ＴＯＦＦが記憶され、一時停止スイッチによる動作停止後、停止時間ＴＯＦＦが経過すると動作が自動再開するという機能と、図３の構成において、動作時間ＴＯＮが記憶され、再開スイッチによる動作開始後、動作時間ＴＯＮが経過すると自動停止するという機能を併せ持つものである。
【００６３】
スタートスイッチ１が投入されるとモータ２が回転し、電磁クラッチ３は初期状態では用紙１部毎の接断繰り返し状態となっているので、用紙供給部４と用紙処理部５の動作が開始するとともに、スタートスイッチ１からは投入を示す投入信号が動作時間タイマー２１へ送られ、該タイマー２１は計時動作を開始する。所要時間後に一時停止スイッチ７をタッチするとその停止信号は、制御部３６中のクラッチ制御回路９のｂ端子と動作時間タイマー２１と停止時間タイマー１０へ送られる。クラッチ制御回路９へ送られた信号は、電磁クラッチ３を断にして用紙供給部４、用紙処理部５の動作を停止させる。動作時間タイマー２１へ送られた信号はスタートスイッチ１からの投入信号で開始していた計時動作を停止させる。計時された時間はスタートスイッチ１の投入時点から一時停止スイッチ７のタッチまでの動作時間ＴＯＮであり、この時間ＴＯＮは動作時間メモリ２４へ送られて記憶される。停止時間タイマー１０へ送られた信号は該タイマー１０の計時動作を開始させる。
【００６４】
所望時間停止した後、再開スイッチ１１をタッチするとその信号は、前記クラッチ制御回路９のａ端子と、前記停止時間タイマー１０と、制御部３６内の動作カウントタイマー２３へ送られる。ａ端子へ信号を受けたクラッチ制御回路９は電磁クラッチ３を接断繰り返しの状態にするので用紙供給部４、用紙処理部５の動作が開始される。停止時間タイマー１０へ送られた信号は、先に一時停止スイッチ７からのタッチ信号により開始していた計時動作を停止させる。計時された時間は、一時停止スイッチ７がタッチされて動作が停止してから、再開スイッチ１１のタッチによる動作再開までの停止時間ＴＯＦＦであり、この時間ＴＯＦＦは停止時間メモリ１２へ送られる。
【００６５】
動作カウントタイマー２３へ送られた信号は、該タイマー２３の計時動作を開始させる。この計時値は刻々比較器３５へ送られている。他方、比較器３５へは動作時間メモリ２４から記憶されている動作時間ＴＯＮが入力されており、動作カウントタイマー２３からの計時値はこのＴＯＮと比較され、計時値がＴＯＮと一致すると比較器３５はクラッチ制御回路９のｂ端子と停止カウントタイマー１３へ信号を出力し、電磁クラッチ３を断にして動作を停止させるとともに、停止カウントタイマー１３の計時動作を開始させる。
【００６６】
即ち、再開スイッチ１１をタッチして開始した動作は、時間ＴＯＮだけ経過すると自動的に停止するということである。計数動作を開始した停止カウントタイマー１３の計時値は刻々比較器１４へ送られる。他方、比較器１４へは停止時間メモリ１２から先に記憶されている停止時間ＴＯＦＦが入力されており、停止カウントタイマー１３からの計時値はこの停止時間ＴＯＦＦと比較される。
【００６７】
計時値がＴＯＦＦと一致すると、比較器１４は信号をクラッチ制御回路９のａ端子と動作カウントタイマー２３へ送る。これにより、電磁クラッチ３は接断繰り返しの状態となり、用紙供給部４、用紙処理部５の動作は自動的に再開し、動作カウントタイマー２３は計時動作を開始する。そして計時値がＴＯＮに達し一致すると比較器３５が、クラッチ制御回路９のｂ端子と停止カウントタイマー１３へ信号を送り、用紙供給部４、用紙処理部５の動作は自動的に停止し、停止カウントタイマー１３が計時動作を開始するということを繰り返し、結局、スタートスイッチ１の投入後、最初の一時停止スイッチ７のタッチのときおよび最初の再開スイッチ１１のタッチのときを除いて以後は、動作時間ＴＯＮ、停止時間ＴＯＦＦで自動停止と自動再開が繰り返されて行くこととなる。
【００６８】
図８の（ａ）は、以上の動作、停止を時間の経過に沿って示したものである。（ｂ）はモータ２の回転は、スタートスイッチ１が入っている限り、供給、処理の動作が停止しているときでも続いていることを示している。
以上のほか、時間延長短縮器１５、再開予告器１６、停止予告器２５およびスイッチＳ１、Ｓ２、Ｓ３についての目的、機能、作用については、図１および図３の説明で述べた通りである。
【図面の簡単な説明】
【００６９】
【図１】本発明の第１の構成の用紙処理システムの実施例を示すブロック図である。
【図２】図１の用紙処理システムの動作の時間経過図である。
【図３】本発明の第２の構成の用紙処理システムの実施例を示すブロック図である。
【図４】図３の用紙処理システムの動作の時間経過図である。
【図５】本発明の第３の構成の用紙処理システムの実施例を示すブロック図である。
【図６】図５の用紙処理システムの動作の時間経過図である。
【図７】本発明の第４の構成の用紙処理システムの実施例を示すブロック図である。
【図８】図７の用紙処理システムの動作の時間経過図である。
【符号の説明】
【００７０】
１  スタートスイッチ
２  モータ
３  電磁クラッチ
４  用紙供給部
５  用紙処理部
６  スタッカ
７  一時停止スイッチ
８  制御部
９  クラッチ制御回路
１０  停止時間タイマー
１１  再開スイッチ
１２  停止時間メモリ
１３  停止カウントタイマー
１４  比較器
１５  時間延長短縮器
１６  再開予告器
１７  短縮器
１８  比較器
１９  報知器
２０  クラッチ制御回路
２１  動作時間タイマー
２２  制御部
２３  動作カウントタイマー
２４  動作時間メモリ
２５  停止予告器
２６  部数増減器
２７  処理部数メモリ
２８  処理部数カウンタ
２９  処理部数カウンタ
３０  減数器
３１  用紙通過検知器
３２  制御部
３３  減数器
３４  停止予告器
３５  比較器
３６  制御部
【図１】
2010089876.tif 000003
【図２】
2010089876.tif 000004
【図３】
2010089876.tif 000005
【図４】
2010089876.tif 000006
【図５】
2010089876.tif 000007
【図６】
2010089876.tif 000008
【図７】
2010089876.tif 000009
【図８】
2010089876.tif 000010